(57)【要約】【課題】  バックプレーンに対する光コネクタの傾きを矯正可能にし、光コネクタの光導波路をバックプレーンの裏表のいずれかからでも取り出し可能にする。【解決手段】  光コネクタ１を取り付けるバックプレーンＰ表面の位置に対応して、当該バックプレーンＰにはスペーサＲの外径よりも大きな取付孔Ｑが穿孔し、この取付孔Ｑと、挿入したスペーサＲとの間に隙間が設けられるようにした光コネクタ１において、スペーサＲをスプリングＳを介してバックプレーンＰの取付孔Ｑに挿通させ、さらにホルダー２の取付孔を挿通したスペーサＲの先端部を、ボルトＶに螺挿することにより光コネクタ１をバックプレーンＰに取り付ける。バックプレーンＰ表面に実装した光ファイバ４Ａから導出した接続部が切欠き２Ａを通ってＭＴフェルール４に光接続するホルダー２の高さを変更可能にする。【選択図】          図１
2006184804.tif 000002
【特許請求の範囲】
【請求項１】
光コネクタが取り付けられるバックプレーン上の位置に対応して、当該バックプレーンにはスペーサの外径よりも大きな取付孔が穿孔され、この取付孔と、挿入されたスペーサとの間に隙間が設けられるようにした光コネクタの取付構造において、スペーサをスプリングとワッシャを介してバックプレーンの取付孔に挿通させ、さらにホルダーの取付孔を挿通したスペーサの先端部を、ボルトに螺挿することにより光コネクタがバックプレーン上で該隙間の範囲でコネクタを垂直に維持しながら自由に移動できるようにしたことを特徴とする光コネクタ。
【請求項２】
光コネクタがバックプレーン表面に垂直に保持されるようホルダーが当該バックプレーン上に立設され、バックプレーン表面に実装された光ファイバから導出された接続部がホルダーの切欠きを通ってＭＴフェルールに光接続される光コネクタの取付構造において、ホルダーの高さを変更可能にしたことによってファイバーの特性に応じその曲げ曲率半径を調節できることを特徴とする光コネクタ。
【請求項３】
バックプレーン上に実装される光コネクタは、ＭＴフェルールと、このＭＴフェルールを保持固定するフェルール保持体と、このフェルール保持体が取り付けられる内部ハウジングと、この内部ハウジングを保持固定するホルダーとによって構成され、光コネクタの内部ハウジングとホルダーとを分離可能な構成としたことを特徴とする光コネクタ。
【請求項４】
ホルダーが立設される位置に対応するバックプレーンに開口部を設け、前記内部ハウジングをバックプレーン裏面側から挿入可能にして前記取付孔によって固定可能にしたことを特徴とする請求項１乃至３記載の光コネクタの取付構造。
【発明の詳細な説明】
【技術分野】
【０００１】
本発明は、光配線および電気配線が混在する光・電気複合ボードを例えばラックのバックプレーン等に実装する光・電気複合装置の実装構造において、バックプレーンへ取り付けるための光コネクタに関する。
【背景技術】
【０００２】
従来、光・電気複合ボードをラックのバックプレーンに実装する光・電気複合装置の実装構造としては、特許文献１に開示されている技術がある。すなわち、一般に、ラックのバックプレーン上に実装した複数の電気コネクタおよび光コネクタに、光・電気複合ボードに実装されている複数の電気コネクタおよび光コネクタを接続する構造においては、これらの電気コネクタ間および光コネクタ間の接合位置に微少なバラツキがある。このバラツキを吸収するために、光コネクタがバックプレーンの面に水平方向に移動でき、且つ光・電気複合ボード側の光コネクタが垂直方向に移動できる構成とする必要がある。
【０００３】
このため、実装構造における第１の構成は、光コネクタが取り付けられるバックプレーン上の位置に対応して、当該バックプレーンにはスペーサの外径よりも大きな取付孔が穿孔され、この取付孔とスペーサとの間に隙間が設けられるものとなっている。ところで、この隙間は、光コネクタが隙間の範囲を移動したとき、バックプレーン側の光コネクタの係合片が、光・電気複合ボード側の光コネクタの係合片に係入できる範囲に設定されている。
【０００４】
そして、このような構成において、図１１に示すように、スペーサＲをバックプレーンＰの取付孔Ｑに挿通させ、さらに光コネクタ１のホルダー２の孔を挿通して先端部にボルトＶを螺合することにより光コネクタ１がバックプレーンＰに取り付けられる。このようにして取り付けられた光コネクタ１は、取付孔ＱとスペーサＲとの間に隙間が設けられることでバックプレーンＰにこの面方向に隙間の範囲で移動自在に支持されるものとなっている。
【０００５】
また、従来のマルチモードファイバの場合には曲率半径を２０ｍｍ以上とし、シングルモードファイバの場合には曲率半径を１０ｍｍ以上とすることによって光伝送損失に影響を及ぼさないような工夫が必要となる。したがって、光接続部は、光伝送損失に影響を及ぼさない範囲で湾曲させるように曲率半径もこれらの所定値以上に設定されている。
【０００６】
このため、実装構造における第２の構成は、光コネクタはバックプレーンに垂直となるようにホルダーが当該バックプレーン上に立設され、バックプレーン上に実装されたファイバシートから導出された接続部が切欠きを通ってＭＴフェルールに光接続される。このとき接続部は側面視において湾曲した状態となり、その曲率半径を所定値以上になるように設定される。
【０００７】
また、実装構造における第３の構成は、バックプレーン上に実装される光コネクタは、ＭＴフェルールと、このＭＴフェルールを保持固定するフェルール保持体と、このフェルール保持体が取り付けられる内部ハウジングと、これを保持固定するホルダーとによって構成されている。このホルダーは略角筒状に形成され、下部に切欠きが設けられ、両側部には互いに対向する一対の弾性係合片が突設され、これら弾性係合片の先端部には互いに対向する爪部が設けられている。
【０００８】
さらに、光・電気複合ボードを挿入すると光・電気複合ボード側の光コネクタが移動して、バックプレーン側の光コネクタの係合片によって光・電気複合ボード側の光コネクタにおける一方の係合片の爪と他方の係合片の爪との係合が解除され、光コネクタのフェルール保持体がホルダーに対して移動自在となり、互いに対向するＭＴフェルール同士が圧縮コイルばねを圧縮させながら押圧方向に移動して互いが嵌合し光接続する構成となっている。
【特許文献１】特開２００３−１２１６９７号公報
【発明の開示】
【発明が解決しようとする課題】
【０００９】
しかしながら、上記した従来技術における実装構造の第１の構成では、図１１に示すように、スペーサＲをバックプレーンＰの取付孔Ｑに挿通させ、さらに光コネクタ１のホルダー２の孔を挿通してスペーサＲの先端部にボルトＶを螺合するだけの構成であるため、バックプレーンＰに対して光コネクタ１自体が隙間によって傾いてしまう虞れがある。すなわち、光コネクタをスライドさせるために隙間を設けてあるものの、光ファイバを曲げているために応力として光コネクタを傾かせる方向に力が働き、光コネクタ自体が傾いてしまい、これが光・電気複合ボード側およびバックプレーン側それぞれの光コネクタ同士の嵌合時において不具合の原因となる。
【００１０】
また、実装構造の第２の構成では、バックプレーン表面に実装された光ファイバから導出された接続部がホルダーの切欠きを通ってＭＴフェルールに光接続されるため、光コネクタの光導波路はバックプレーンの表側だけに限定されてしまい、バックプレーンの裏側からの光導波路の取り出しが不可能な構成となっている。
【００１１】
さらに、実装構造の第３の構成では、バックプレーン表面に実装される光コネクタは、ＭＴフェルールと、このＭＴフェルールを保持固定するフェルール保持体と、このフェルール保持体が取り付けられるホルダーとによって構成され、このホルダー自体が所定の高さに設定されており且つこれによって切欠きの高さも限定されているため、光接続されている光ファイバの曲率半径を任意に変更することができない構成となっている。
【００１２】
そこで、本発明は、叙上のような従来存した欠陥に鑑みなされたもので、本発明の第１の目的は、光コネクタの移動を可能とすると同時に光コネクタ自体の傾きを矯正可能にすることである。
【００１３】
また、本発明の第２の目的は、光コネクタの接続用光ファイバである光導波路をバックプレーン等の配電パネルの裏表のいずれかからでも取り出し可能にすることである。
【００１４】
さらに、本発明の第３の目的は、光ファイバの曲率半径が変更でき、これを小半径に曲げても損失の少ない光ファイバにも十分に対応できるようにすることである。
【００１５】
加えて、本発明の第４の目的は、フェルール保持体に対するＭＴフェルール自体の組立を容易なものとし、例えばボード用もしくはＢＰ用等の直角曲げ光コネクタを構成するに際し、全体的に組立作業性を向上できるように構成することである。
【課題を解決するための手段】
【００１６】
上述した目的を達成するために、本発明にあっては、光コネクタが取り付けられるバックプレーン上の位置に対応して、当該バックプレーンにはスペーサの外径よりも大きな取付孔が穿孔され、この取付孔と、挿入されたスペーサとの間に隙間が設けられるようにした光コネクタの取付構造において、スペーサをスプリングとワッシャを介してバックプレーンの取付孔に挿通させ、さらにホルダーの取付孔を挿通したスペーサの先端部を、ボルトに螺挿することにより光コネクタがバックプレーン上で該隙間の範囲でコネクタを垂直に維持しながら自由に移動できることを特徴とする。
【００１７】
光コネクタがバックプレーン表面に垂直に保持されるようホルダーが当該バックプレーン上に立設され、バックプレーン表面に実装された光ファイバから導出された接続部がホルダーの切欠きを通ってＭＴフェルールに光接続される光コネクタの取付構造において、ホルダーの高さを変更可能にしたことによって小さなファイバーの曲率半径にも対応可能としたことを特徴とする。
【００１８】
バックプレーン上に実装される光コネクタは、ＭＴフェルールと、このＭＴフェルールを保持固定するフェルール保持体と、このフェルール保持体が取り付けられる内部ハウジングと、この内部ハウジングを保持固定するホルダーとによって構成され、光コネクタの内部ハウジングとホルダーとを分離可能な構成としたことを特徴とする。
【００１９】
ホルダーが立設される位置に対応するバックプレーンに開口部を設け、前記内部ハウジングをバックプレーン裏面側から挿入可能にして前記取付孔によって固定可能にしたことを特徴とする。
【発明の効果】
【００２０】
請求項１記載の発明によれば、光コネクタの移動を可能とすると同時に光コネクタ自体の傾きを矯正可能にする。
【００２１】
請求項２記載の発明によれば、光ファイバの曲率半径が変更でき、これを小半径に曲げても損失の少ない光ファイバにも十分に対応させることができる。
【００２２】
請求項３記載の発明によれば、フェルール保持体に対するＭＴフェルール自体の組立を容易なものとし、例えばボード用もしくはＢＰ用等の直角曲げ光コネクタを構成するに際し、全体的に組立作業性を向上できる。すなわち、内部ハウジング＋フェルール保持体と外部ハウジングであるホルダーとを分離可能な構成とすることで、先ず内部ハウジングの組立を別に実施してから最終的にホルダーに挿入が可能となるようにし、これによって組立の作業性を向上させることができる。
【００２３】
請求項４記載の発明によれば、光コネクタの接続用光ファイバである光導波路をバックプレーン等の配電パネルの裏表のいずれかからでも取り出し可能となる。
【発明を実施するための最良の形態】
【００２４】
以下、図面を参照して本発明を実施するための最良の一形態を説明すると、図２において示される符号１は、例えばラックのバックプレーン（バックボード基板）Ｐ表面に実装される光コネクタであり、この光コネクタ１は、バックプレーン表面に立設されたホルダー２と、このホルダー２に挿脱可能に取り付けられる内部ハウジング５と、この内部ハウジング５に挿脱可能に取り付けられる通称ＭＴクランパと称されるフェルール保持体３と、このフェルール保持体３に着脱可能に保持固定されるＭＴフェルール４とによって構成されている。
【００２５】
ホルダー２は略角筒状に形成され、幅広な前後面側下部に例えば２つの矩形状の切欠き２Ａが設けられ、幅狭な左右両側下部には外方へ略Ｌ字状に折曲し且つその中央に孔を形成して成る取付片２Ｂが形成されている。また、ボード側コネクタとの嵌合用に上側開口部２Ｃが形成されている。ホルダー２の上側には、フェルール保持体３が着脱可能となるように取り付けられているバックプレーン用の内部ハウジング５が挿入固定されている。フェルール保持体３は、帯状の光ファイバ４Ａを有する例えば４個のＭＴフェルール４をＭＴ用スプリング４Ｂを介して着脱可能に保持収容させるための収容固定溝３Ａがそれぞれに形成された身部と蓋部との２つ割構造によって形成されている。
【００２６】
また、図１に示すように、バックプレーンＰには、スペーサＲの外径よりも大きな取付孔Ｑが穿孔され、この取付孔Ｑと、挿入されたスペーサＲとの間に隙間が設けられるようにした光コネクタの取付構造において、スペーサＲをスプリングＳとワッシャＷを介してバックプレーンＰの取付孔Ｑに挿通させ、さらにホルダー２の取付孔を挿通したスペーサＲの先端部にボルトＶを螺挿することにより光コネクタ１がバックプレーンＰに取り付けられるものとしてある。
【００２７】
このように光コネクタ１がバックプレーンＰ表面に垂直に保持されるようホルダー２が当該バックプレーンＰ上に立設され、バックプレーンＰ表面に実装された光ファイバ４Ａから導出された接続部がホルダー２の切欠き２Ａを通ってＭＴフェルール４に光接続されるものとしてある。
【００２８】
次に、上記構成による組立方法について図３に基づき説明すると、先ず、ＭＴフェルール４の近傍にＭＴ用スプリング４Ｂを持ってくる。そして、２つ割構造によるフェルール保持体３の身部側、蓋部側それぞれの収容固定溝３ＡによってＭＴフェルール４を挟み込むように当該身部側、蓋部側それぞれを合致させる。このとき、身部側のフェルール保持体３にＭＴ用スプリング４Ｂの片側を掛けて、当該ＭＴ用スプリング４Ｂを軸方向に圧縮しながら収容固定溝３Ａに、ＭＴフェルール４、ＭＴ用スプリング４Ｂそれぞれを装着した後、蓋部側のフェルール保持体３を被せる。
【００２９】
組上げたフェルール保持体３を内部ハウジング５内に挿着し、互いに反対方向の側面から２本の二股爪構造の固定ピン１３を挿入して内部ハウジング５にフェルール保持体３を固定する。そして、内部ハウジング５をホルダー２の上側開口部２Ｃに挿入してから、バックプレーンＰ上の光コネクタ１が取り付けられる位置において取付孔Ｑと取付片２Ｂの孔とを合致させ、スペーサＲをワッシャＷおよび緩衝性を有するスプリングＳを介してバックプレーンＰの取付孔Ｑに挿通し、さらにホルダー２の取付孔を挿通したスペーサＲの先端部にボルトＶを螺挿する。
【００３０】
図４には本発明の他の実施の形態が示されている。
すなわち、バックプレーンＰ表面に実装された光ファイバ４Ａから導出された接続部を切欠き２Ａを通してＭＴフェルール４に光接続するためのホルダー２の高さを変更可能にしてある。例えば、高さの大きなホルダー２の場合には、光ファイバ４Ａの曲率半径が大きくなり（図４（ａ）（ｂ）参照）、高さの小さなホルダー２の場合には、光ファイバ４Ａの曲率半径が小さくなる（図４（ｅ）（ｆ）参照）。
【００３１】
また、図４（ｃ）（ｄ）に示すように、ホルダー２が立設される位置に対応するバックプレーンＰに開口部６を設けてバックプレーンＰ裏面側から当該ホルダー２を挿入可能にしてある。こうすることでバックプレーンＰ裏面側に実装された光ファイバ４Ａから導出した接続部がバックプレーンＰ表面に配したＭＴフェルール４に開口部６を通して光接続されるようにしてある。
【００３２】
また、図６に示すように、ボード側におけるフェルール保持体３には、互いに対向する一対の弾性係合片７が左右両側に設けられ、バックプレーンＰ側のフェルール保持体３におけるＭＴフェルール４に接続されるに際し、この弾性係合片７がバックプレーンＰ側のホルダー２の左右両側に形成された係止開口部８に係合保持されるようにしてある。
【００３３】
また、図５に示すように、ボード側における弾性係合片７を備えた内部ホルダ５を、ホルダー２を介してバックプレーンＰ側に取り付けた構成としても良い。このとき、スペーサＲをワッシャＷおよび緩衝性を有するスプリングＳを介してバックプレーンＰの取付孔Ｑに挿通させ、さらにホルダー２の取付孔を挿通したスペーサＲの先端部に、ボルトＶを螺挿することにより弾性係合片７を備えた内部ハウジング５がバックプレーンＰに取り付けられるものとしてある。
【００３４】
図７乃至図１０には本発明のさらに他の実施の形態が示されている。
本実施の形態においては、光コネクタ１をバックプレーン用およびボード用のＭＴ単連の直角曲げコネクタ構造に形成されている。すなわち、図７、図９に示すように、バックプレーン用の光コネクタ１のフェルール保持体３には、単一のＭＴフェルール４を収容するための一つの収容固定溝３Ａを形成してあり、この収容固定溝３ＡにＭＴ用スプリング４Ｂを略コ字枠状のガイドストッパー９を介して軸方向に圧縮しながらＭＴフェルール４、ＭＴ用スプリング４Ｂそれぞれを装着するようにしてある。そして、このフェルール保持体３を、内部ハウジング５を介してパネルに立設したホルダー２に装着し、当該内部ハウジング５に対向形成された一対の弾性係合片７でもって係止固定されるようにしてある。このとき、内部ハウジング５には、フェルール保持体３が略コ字枠状のクリップ１０を介して固定されるようにしてある。
【００３５】
また、図８、図１０に示すように、ボード用の光コネクタ１のフェルール保持体３には、単一のＭＴフェルール４を収容するための一つの収容固定溝３Ａを形成してあり、この収容固定溝３ＡにＭＴフェルール４を装着するようにしてある。そして、このフェルール保持体３を、左右両側に互いに対向する一対の弾性係合片７を備えた内部ハウジング５内に挿入してから、先端が圧縮可撓性を有する二つ割チャック形状のフック部を備えた固定金具１４を内部ハウジング５の側面孔から装着して固定させてある。このようにして組立られたボード用の光コネクタ１は、ＰＫＧ基板に対して複数のコネクタ取付ビス１１とナット１２とによって取り付けられる。尚、図中１５は位置決め用の突起を示す。
【図面の簡単な説明】
【００３６】
【図１】本発明を実施するための最良の形態におけるバックプレーン側の光コネクタを示すもので、（ａ）は光コネクタの側面図、（ｂ）はホルダーの取り付け方法を示す一部切欠の分解断面図である。
【図２】同じくバックプレーン側の光コネクタの取り付け状態を示し、（ａ）は正面から見た半断面図、（ｂ）は側面図、（ｃ）は平面図である。
【図３】同じくバックプレーン側の光コネクタの組立手順を説明する説明図である。
【図４】本発明の他の実施の形態を示すもので、（ａ）、（ｃ）、（ｅ）は光コネクタの正面図、（ｂ）、（ｄ）、（ｆ）は光コネクタの側面図である。
【図５】同じくバックプレーン側の光コネクタの取り付け状態を示し、（ａ）は正面から見た半断面図、（ｂ）は側面図、（ｃ）は平面図である。
【図６】同じくボード側の光コネクタの取り付け状態の他例を示し、（ａ）は正面から見た半断面図、（ｂ）は側面図、（ｃ）は平面図である。
【図７】バックプレーン用のＭＴ単連の直角曲げコネクタ構造を示すもので、（ａ）は平面図、（ｂ）は（ａ）中のＡ−Ａ断面図、（ｃ）は（ａ）中のＢ−Ｂ断面図である。
【図８】ボード側のＭＴ単連の直角曲げコネクタ構造を示すもので、（ａ）は平面図、（ｂ）は（ａ）中のＡ−Ａ断面図、（ｃ）は（ａ）中のＢ−Ｂ断面図である。
【図９】同じくバックプレーン用のＭＴ単連の直角曲げコネクタ構造の組立手順を説明する説明図である。
【図１０】同じくボード側のＭＴ単連の直角曲げコネクタ構造の組立手順を説明する説明図である。
【図１１】従来例を示すもので、（ａ）はバックプレーンに取り付けられた光コネクタの側面図、（ｂ）は光コネクタが傾いた状態の側面図である。
【符号の説明】
【００３７】
Ｐ    バックプレーン
Ｑ    取付孔
Ｒ    スペーサ
Ｓ    スプリング
Ｖ    ボルト
Ｗ    ワッシャ
１    光コネクタ
２    ホルダー
２Ａ  切欠き
２Ｂ  取付片
２Ｃ  上側開口部
３    フェルール保持体
３Ａ  収容固定溝
４    ＭＴフェルール
４Ａ  光ファイバ
４Ｂ  ＭＴ用スプリング
５    内部ハウジング
６    開口部
７    弾性係合片
８    係止開口部
９    ガイドストッパー
１０  クリップ
１１  コネクタ取付ビス
１２  ナット
１３  固定ピン
１４  固定金具
１５  位置決め用の突起
【図１】
2006184804.tif 000003
【図２】
2006184804.tif 000004
【図３】
2006184804.tif 000005
【図４】
2006184804.tif 000006
【図５】
2006184804.tif 000007
【図６】
2006184804.tif 000008
【図７】
2006184804.tif 000009
【図８】
2006184804.tif 000010
【図９】
2006184804.tif 000011
【図１０】
2006184804.tif 000012
【図１１】
2006184804.tif 000013